(57)【要約】本発明は、印刷システムのためのハーフトーンスクリーニング法に関し、減法混色の４色であるＣＭＹＫ（シアン、マゼンタ、イエローおよびブラック）の各色に対応する正方形ドットを、正方形の印刷セルの異なる頂点に配置する。異なる色のスクリーンは互いに回転していない、つまり、ゼロ印刷角度を有する。正方形ドットは、正方形のセルの頂点において対称的または非対称的な形態で配置することができる。【選択図】なし【特許請求の範囲】
【請求項１】
印刷セルを形成する際に、追加的な色がある場合でもない場合でもＣＭＹＫ系の４色のハーフトーンスクリーニングにおいて、正方形ドットのみを使用することを特徴とする、テトラスティク・プロセス。
【請求項２】
４つの頂点もしくは辺の１つで、対称的な形態（図１左）で、また非対称的な形態（図１右）で、ＣＭＹＫ系の４色の正方形ドットを分離させて集めることを特徴とする、テトラスティク・プロセス。
【請求項３】
ＣＭＹＫ系の４色全ての正方形ドットがゼロ角度で配置されており、出力デバイスのコンピュータソフトウェアでなされる複雑な計算が回避されることを特徴とする、テトラスティク・プロセス。
【請求項４】
スクリーン上での最小グラフィック測定単位を表現するピクセルを利用し、追加的な色を含む４色ＣＭＹＫ系で印刷されるセルを構成するドットを生成するための前記ピクセルの正方形の形式を有利に利用し、加法混色のＲＧＢの系と減法混色のＣＭＹＫの系との適合を行うことを特徴とする、テトラスティク・プロセス。
【請求項５】
正方形ドット間のクリアな領域を、ハーフトーンの任意のパーセンテージで完全になくし、その場合、追加的な色がある場合でもない場合でもＣＭＹＫ系の２つ以上の色で、レジスタの一致により、対称的な形態の印刷セルにおけるクリアな領域が著しく減少していることを特徴とする、テトラスティク・プロセス。
【請求項６】
追加的な色がある場合でもない場合でもＣＭＹＫ印刷で必要とされる忠実度および色の品質に妥協することなく、任意のライン数および任意の解像度で、セル当たりのドットの任意の密度を幅広く利用できることを特徴とする、テトラスティク・プロセス。
【請求項７】
追加的な色がある場合でもない場合でもＣＭＹＫ系の色レジスタの一致のパラメータをより都合よく定義することにより、モアレ効果の低減を簡単に得られることを特徴とする、テトラスティク・プロセス。
【請求項８】
印刷セルの４つの頂点もしくは辺の間でのＣＭＹＫの４色の位置変化を簡単化し、その結果、コンピュータソフトウェアでの処理計算速度が増大することを特徴とする、テトラスティク・プロセス。
【請求項９】
ドットの領域の１００％を、その最小パーセンテージでカバーし、セルの領域の１００％を、その最高パーセンテージでカバーし、前記ドットが占有する領域である正方形全体を常にカバーしていることを特徴とする、テトラスティク・プロセス。
【請求項１０】
要求される記憶量が小さく、ＬＣＤ、ＤＭＤもしくは他の任意のものといったレーザ技術を利用するイメージセッタおよびプレートセッタのための、コンピュータソフトウェア出力に関するハーフトーンスクリーニングのプロセスの速度が増大することを特徴とする、テトラスティク・プロセス。
【発明の詳細な説明】
【技術分野】
【０００１】
本発明は、全てのグラフィック産業モダリティの、主にフレキソグラフィ、オフセット印刷およびグラビア印刷の、出力装置のコンピュータソフトウェアのＣＭＹＫファイルにおいて、アナログもしくはデジタルの刷版のハーフトーンスクリーニングプロセスに関する。
【背景技術】
【０００２】
現在、グラフィック産業では、減法混色の色であるＣＭＹＫ（シアン、マゼンタ、イエローおよびブラック）を用いるいくつかの印刷システムが利用されており、それらは、２つの異なるプロセスをベースとしている。すなわち、有理正接スクリーニング（Rational Tangent Screening）および非有理正接スクリーニング（Irrational Tangent Screening）で、複数のスクリーン角度に沿って整列させた典型的なハーフトーンドットを利用するロゼッタパターンと、ＡＭスクリーニングおよびＦＭスクリーニングで、ランダムに配置したハーフトーンドットを利用するストカスティック・スクリーニング（Stochastic Screening）プロセスである。
【０００３】
印刷プロセスの上記プロセスにおいて、いくつかのドットの形式を使用することができる。それはすなわち、正方形ドット、逆正方形ドット、円形ドット、逆円形ドット、ユークリッドドット（euclidean dots）、楕円形ドット、ダイヤモンド形ドットおよび線状ドットである。これらのドットの全てが、それが領域の１００％を占めている場合、その形が正方形としてみなされることは、興味深い留意すべき点である。
【０００４】
ハーフトーンドットを生成するには、正方形ドットが比較的よく使用される。それというのは、正方形ドットは、印刷領域を全体的に占有し、スクリーン上での最小のグラフィック測定単位を表す「ピクセル」（画素の頭文字）に類似し、ＡＭスクリーニングおよびＦＭスクリーニングで、「ストカスティック印刷」に対しては、より望ましいからである。正方形ドットを「ロゼッタパターン」印刷に対し使用すると、印刷セルにおいて複数のスクリーン角度のロガリズムで四角形ドットを配置した場合、複雑な有理正接スクリーニングおよび非有理正接スクリーニングシステムによって問題を明らかにする必要がある。
【発明の開示】
【０００５】
テトラスティク印刷プロセス（Tetrastich Process of Printing）の主な特徴は、正方形ドットを、印刷セル内で、４つの頂点もしくは辺のそれぞれから幾何学的にゼロ角度で設け、ＣＭＹＫ系の４色の各色が分離されて印刷セルを占有するようにし、これにより、各色の正方形ドットを角度をなして並べる必要性がなくなり、そのため、正方形ドット（ピクセル）を広範に利用できるという利点が得られることである。別の重要な特徴は、減法混色のＣＭＹＫの系が、加法混色のＲＧＢの系と、コンピュータソフトウェアスクリーニングにおいて適合性を有するようになることである。
【０００６】
４つのセル頂点におけるＣＭＹＫの４色の位置選択が、テトラスティク・プロセスの唯一の可変要素であり、アナログまたはデジタルの充実度および印刷品質に関し検証される、歪み補正の問題が解決されるようになっている。
【発明を実施するための最良の形態】
【０００７】
このテトラスティク・プロセスがより容易に理解されるように、図１に、ハーフトーンのパーセンテージを１％から９９％まで変化させた１００ドット（１０×１０）の正方形セルを示す。この場合、より強いブラック（Ｋ）と、より弱いイエロー（Ｙ）とを対角線上に対面させて配置する。これは、印刷プロセスにおける歪みおよび作用の補正を目的としている。
【０００８】
テトラスティク・プロセスは、セル上での正方形ドット（ピクセル）からの配置を最適化し、出力デバイスのコンピュータソフトウェアで要求される記憶および処理時間を短縮し、残されるクリアな領域の低減を効果的な方法で促進し、隣接する色が重なることを最大限回避し、また「モアレ」を低減する効果にも寄与する。
【０００９】
図２に、テトラスティク・プロセスの別の例を示す。４つのレジスタ、ＣＭＹＫで印刷され、互いの上部で正確に整合されており、正方形ドット（ピクセル）が対称的な形態で配置され、２５６ドット（１６×１６）の１つのセルにおて、４色のパーセンテージは、Ｃ１５．６％（４０ポイント）、Ｍ１７．６％（４５ポイント）、Ｙ２５．０％（６４ポイント）およびＫ２４．６％（６３ポイント）となっており、インクリメント０．３９％で、イエロー（Ｙ）およびブラック（Ｋ）は、対角線上に対向して配置されている。グレーの線は、ドットおよびセルの境界を示す。
【００１０】
対称的なテトラスティク・プロセスでは、４色のそれぞれを２５％のパーセンテージで配置する場合、色を重ねて印刷することなく、クリアな領域が完全になくなる。ロゼッタパターンまたはストカスティック・スクリーンプロセスでは、色の重ね印刷は、パーセンテージ２５％未満から起こり始め、残されたクリアな部分を合わせた異なる色を形成し、これにより、追加的な色がある場合でもない場合でも、品質が損なわれ、ＣＭＹＫでの任意の影響による最終的な結果の予測が困難となる。
【００１１】
テトラスティク・プロセスプロセスは、イメージセッタまたはプレートセッタを実施するのに最適である。これらは、光結晶ダイオード（ＬＣＤ）またはデジタルミラーデバイス（ＤＭＤ）をベースとした技術を利用しており、それは、これらのデバイスが、ピクセル形式の正方形ドットによるハーフトーンスクリーンのみを生じさせるからである。
【図１】
2007525852.tif 000002
【図２】
2007525852.tif 000003
【国際調査報告】
2007525852.tif 000004
2007525852.tif 000005